(57)【要約】【課題】体液排泄部と密着して体液の伝い漏れを防止できであって、かつ、その機能が効果的に発揮できる装着位置が示唆されている吸収性物品を提供する。【解決手段】吸収性物品１に弾性部材３４、３５を用いて長手方向中心を隆起させた膨出手段３０を備えるようにし、かつ、その膨出手段３０が好適な位置に配置されるように、吸収性物品１の両側縁において使用者の大腿部と合わせる位置を長手方向中心線に向って凹む括れ部（両側縁の間が最狭となる部分）で示す構造とし、前記膨出手段３０を起立させるための弾性部材３４、３５の固定端を括れ部から前方に９０ｍｍ以上、後方に４０ｍｍ以上とした。【選択図】図１
2007135943.tif 000002
【特許請求の範囲】
【請求項１】
液透過性のトップシートと、液不透過性のバックシートと、これらの間に配置され体液を吸収して保持する吸収体と、から成る吸収性物品であって、
長手方向と短手方向とを有する実質的に縦長形状であり、装着時に着用者の身体の前後に対応する前方及び後方を有し、両側縁部には前記短手方向において前記吸収性物品を二等分する長手方向中心線に向かって幅方向に凹む括れ部を有するものであって、
前記トップシートと前記吸収体との間には、前記吸収性物品の前記長手方向の中心線に沿って延びていて前記トップシートの前記中心線付近を膨出させる膨出手段を備え、
前記膨出手段は、前記吸収性物品の長手方向中心線に平行に延びるように固定配置された複数の弾性部材の前記長手方向への縮み応力により前記トップシート側に起立するものであり、
前記弾性部材の固定端部は、一方端部が前記括れ部の最狭部となるところから９０ｍｍ以上前方に位置づけられ、他方固定端部が前記括れ部の最狭部となるところから４０ｍｍ以上後方に位置づけられた吸収性物品。
【請求項２】
液透過性のトップシートと、液不透過性のバックシートと、これらの間に配置され体液を吸収して保持する吸収体と、から成り、長手方向と短手方向とを有する実質的に縦長形状の吸収性物品であって、
少なくとも前記長手方向の両側縁には前記吸収性物品の構成部材の離間を防ぐためのラウンドシールが間欠的に設けられ、前記ラウンドシールの非存在領域において着用者の大腿部の装着位置を示唆するものであり、
前記トップシートと前記吸収体との間には、前記吸収性物品の前記長手方向の中心線に沿って延びていて前記トップシートの前記中心線付近を膨出させる膨出手段を備え、
前記膨出手段は、前記吸収性物品の長手方向中心線に平行に延びるように固定配置された複数の弾性部材の前記長手方向への縮み応力により前記トップシート側に起立するものであり、
前記弾性部材の固定端部は、前記ラウンドシールの前記非存在領域の長手方向の略中央点から９０ｍｍ以上前方の位置にあり、他方固定端部が前記略中央点から４０ｍｍ以上後方の位置にある吸収性物品。
【請求項３】
液透過性のトップシートと、液不透過性のバックシートと、これらの間に配置され体液を吸収して保持する吸収体と、から成る吸収性物品であって、
長手方向と短手方向とを有する実質的に縦長形状であり、装着時に着用者の身体の前後に対応する前方及び後方を有し、両側縁部には装着時に下着にまきつけて前記吸収性物品を固定するための一対の折り返しフラップを備えるものであって、
前記トップシートと前記吸収体との間には、前記吸収性物品の前記長手方向の中心線に沿って延びていて前記トップシートの前記中心線付近を膨出させる膨出手段を備え、
前記膨出手段は、前記吸収性物品の長手方向中心線に平行に延びるように固定配置された複数の弾性部材の前記長手方向への縮み応力により前記トップシート側に起立するものであり、
前記弾性部材の固定端部は、前記一対の折り返しフラップの長手方向の略中央点から９０ｍｍ以上前方の位置にあり、他方固定端部が前記中央点から４０ｍｍ以上後方の位置にある吸収性物品。
【発明の詳細な説明】
【技術分野】
【０００１】
本発明は、体液吸収能を有する吸収性物品に係り、特に身体への密着性が高く、かつ、位置ずれが生じないよう正しく装着できる吸収性物品に関する。
【背景技術】
【０００２】
従来より、吸収性物品については、着用者の身体と吸収性物品との間に隙間が生じて漏れが発生してしまうことを防ぐため、身体と吸収性物品との密着性を高めて体液の伝い漏れを防止するための様々な検討がなされている。このような漏れ防止を高めた吸収性物品としては、以下に示すようなものが挙げられる。
【０００３】
例えば、特許文献１に示す吸収性物品では、吸収層の上に弾性部材と透液性シートとで形成された立体壁が設けられており、この立体壁が弾性部材の弾性力収縮力によりＴ字形状に立ち上がっている。かかる立体壁の身体に接する部分（天面）は、装着時において着用者の局部に密着できるようになっているため、粘着層で下着に固定されている吸収性物品の裏面層が動いたとしても、肌に当接している立体壁の天面は局部に密着したままでいることができ、体液が身体を伝い漏れることを防止できる。
【０００４】
また、特許文献２に示す吸収性物品では、体液の横漏れ防止のために下着に巻きつけるフラップと、フィット性を優れたものとするために中高部を有する吸収体及び外方に曲率中心を有する実質的に円弧状のフィットエンボスとを備えたものとなっている。そして、フラップの長手方向中心線または吸収性物品の括れ部の最も狭い位置を結ぶ線と、フィットエンボスの曲率中心を結ぶ線と、吸収体の中高部の長手方向中心線とが、この順となるように前側で位置づけられており、装着時におけるフィット性をも確保できるようになっている。
【０００５】
更に、特許文献３に示す吸収性物品では、身体の体液排泄口への吸収性物品の対応位置を特定する特定構造部（サイドエンボス及びウイング）を有し、かかる特定構造部中心から長手方向の前端部までの長さが少なくとも１２５ｍｍ以上となっている。これにより特に前方からの体液の漏れを防止できるようになっている。
【０００６】
【特許文献１】特開２００２−３２０６３８号公報
【特許文献２】特開２００１−９５８４６号公報
【特許文献３】特開２００１−２７６１２３号公報
【発明の開示】
【発明が解決しようとする課題】
【０００７】
しかしながら、特許文献１では、着用者が吸収性物品を装着する場合、装着する位置の目安位置と立体壁の位置関係とが吸収性物品において規定されていないため、装着位置が着用者まかせになり、理想の装着位置に対して、前後にずれが発生した場合に、立体壁で形成される隆起部と局部が密着しないまま装着が固定され、体液の伝い漏れ防止機能が十分発揮できない。特に、吸収性物品の縦方向長さが長い場合や、隆起部の位置が視覚的に不明瞭であった場合にリスクが大きい。
【０００８】
また、特許文献２ではフラップの長手方向中心線または前記括れ部の最も狭い位置を結ぶ線がショーツの最も狭い位置に位置決めされ、動作時のフィット性に優れたものとなるが、吸収体の中高部には排血口を長手方向中心近傍に位置させることができるものの、尿道口はこの位置に来ることができず、失禁用としては吸収性が十分に発揮できない吸収性物品となっている。そして、特許文献３では、身体の特定構造部（サイドエンボス及びウイング）と製品前端部までの距離を長く規定したにすぎないため、前漏れ防止の一助となっても装着時の密着性を高めるものではない。
【０００９】
本発明はこのような従来の問題点に着目してなされたものであり、その目的は、体液排泄部と密着して体液の伝い漏れを防止できるものであって、かつ、その機能が効果的に発現できる装着位置が示唆されている吸収性物品を提供することを目的とする。
【課題を解決するための手段】
【００１０】
このような問題を解決するために、本発明者らは、吸収性物品に弾性部材を用いて長手方向中心を隆起させた膨出手段を備えるようにし、しかも、その膨出手段が好適な位置に配置されるような吸収性物品とした。具体的には、吸収性物品の両側縁において着用者の大腿部と合わせる位置から所定の範囲に膨出手段を設ける構造とした。より具体的には、本発明は以下のようなものを提供する。
【００１１】
（１）液透過性のトップシートと、液不透過性のバックシートと、これらの間に配置され体液を吸収して保持する吸収体と、から成る吸収性物品であって、長手方向と短手方向とを有する実質的に縦長形状であり、装着時に着用者の身体の前後に対応する前方及び後方を有し、両側縁部には前記短手方向において前記吸収性物品を二等分する長手方向中心線に向かって幅方向に凹む括れ部を有するものであって、前記トップシートと前記吸収体との間には、前記吸収性物品の前記長手方向の中心線に沿って延びていて前記トップシートの前記中心線付近を膨出させる膨出手段を備え、前記膨出手段は、前記吸収性物品の長手方向中心線に平行に延びるように固定配置された複数の弾性部材の前記長手方向への縮み応力により前記トップシート側に起立するものであり、前記弾性部材の固定端部は、一方端部が前記括れ部の最狭部となるところから９０ｍｍ以上前方に位置づけられ、他方固定端部が前記括れ部の最狭部となるところから４０ｍｍ以上後方に位置づけられた吸収性物品。
【００１２】
本発明によれば、膨出手段を構成する弾性部材は、大腿部の中央に位置する括れ部から前に９０ｍｍ以上の地点を始端とし、括れ部から後に４０ｍｍ以上の地点を終端としている。これは、排泄部の個人差等を考慮したものである。即ち、一般的な成人女性の陰唇前方交連から陰唇後方交連までの距離は、平均で８０ｍｍ程度である。また、陰唇前方交連から膣口までの距離は７０ｍｍ程度であり、膣口から陰唇後方交連までの距離は１０ｍｍ程度であり、尿道口は陰唇前方交連と膣口との間に存在し、尿道口から膣口までの距離は２０ｍｍ程度である。ここで、左右大腿部の中心位置、及び、下着の股間部の中心位置が、膣口から尿道口側１０ｍｍ程度の範囲内に位置すると、左右大腿部及び下着の股間部の中心位置から陰唇前方交連までの距離は６０〜７０ｍｍ程度、前記中心位置から陰唇後方交連までの距離は１０〜２０ｍｍ程度となる。このため始端が９０ｍｍ以上前方に、終端が４０ｍｍ以上後方に規定される。なお、本明細書において「排泄部」とは、陰唇前方交連から陰唇後方交連まで（陰裂全体）をいう。これは、例えば立ち姿勢では大陰唇が閉じて尿道口が隠れてしまう場合があるが、このような状態において尿が排泄された場合には尿は陰唇内部を伝うために見かけ上は陰裂全体が排泄口となるところ、本発明は、このような状態における尿漏れをも防止していることによる。
【００１３】
このように膨出手段を構成する弾性部材の配置位置を規定することにより、例えば腹圧性失禁と称されるくしゃみをしたようなときに生じる軽い失禁では、尿排泄部から排泄される尿がわずかであるために尿は身体の表面（更に詳しくは陰唇の外表面）を伝わろうとするが、トップシートを介した膨出手段が排泄口に密着しているためにこの尿をトップシート及び膨出手段が捕捉しやすく、尿は膨出手段を構成する液透過性シートを伝わって吸収体に吸収されやすくなっている。また、膣口に対しても膨出手段が密着するので、経血を捕捉しやすくなっている。即ち、本発明によれば、着用者の体液排泄部が弾性部材の収縮力により隆起した膨出手段に確実に密着することとなる。
【００１４】
（２）液透過性のトップシートと、液不透過性のバックシートと、これらの間に配置され体液を吸収して保持する吸収体と、から成り、長手方向と短手方向とを有する実質的に縦長形状の吸収性物品であって、少なくとも前記長手方向の両側縁には前記吸収性物品の構成部材の離間を防ぐためのラウンドシールが間欠的に設けられ、前記ラウンドシールの非存在領域において着用者の大腿部の装着位置を示唆するものであり、前記トップシートと前記吸収体との間には、前記吸収性物品の前記長手方向の中心線に沿って延びていて前記トップシートの前記中心線付近を膨出させる膨出手段を備え、前記膨出手段は、前記吸収性物品の長手方向中心線に平行に延びるように固定配置された複数の弾性部材の前記長手方向への縮み応力により前記トップシート側に起立するものであり、前記弾性部材の固定端部は、前記ラウンドシールの前記非存在領域の長手方向の略中央点から９０ｍｍ以上前方の位置にあり、他方固定端部が前記略中央点から４０ｍｍ以上後方の位置にある吸収性物品。
【００１５】
本発明によれば、着用者が装着時に大腿部を配置する部分がラウンドシールの非存在領域によって示唆されている。このようにすることにより、他の材料を付加するのではなく元来必要であったシールにより装着位置の示唆がなされていることになる。また、大腿部に接する部分にラウンドシールが非存在となるため、シールにより硬くなった部分が接することが回避されている。
【００１６】
なお、上述の（１）の括れ部と本発明のラウンドシールの非存在領域を並存させるようにいてもよい。このようにすることにより、括れ部の最狭部が一層明確に着用者に認識させることができる。
【００１７】
（３）液透過性のトップシートと、液不透過性のバックシートと、これらの間に配置され体液を吸収して保持する吸収体と、から成る吸収性物品であって、長手方向と短手方向とを有する実質的に縦長形状であり、装着時に着用者の身体の前後に対応する前方及び後方を有し、両側縁部には装着時に下着にまきつけて前記吸収性物品を固定するための一対の折り返しフラップを備えるものであって、前記トップシートと前記吸収体との間には、前記吸収性物品の前記長手方向の中心線に沿って延びていて前記トップシートの前記中心線付近を膨出させる膨出手段を備え、前記膨出手段は、前記吸収性物品の長手方向中心線に平行に延びるように固定配置された複数の弾性部材の前記長手方向への縮み応力により前記トップシート側に起立するものであり、前記弾性部材の固定端部は、前記一対の折り返しフラップの長手方向の略中央点から９０ｍｍ以上前方の位置にあり、他方固定端部が前記中央点から４０ｍｍ以上後方の位置にある吸収性物品。
【００１８】
本発明によれば、下着に巻きつけるための折り返しフラップが着用者の位置決めを補助するものとなっている。ここで、折り返しフラップは下着のクロッチ部分において下着に巻きつけるものであるため、その中心は大腿部中心に位置することとなり、この地点より所定の範囲に膨出手段を構成する弾性部材の前端及び後端が位置づけられることとなる。即ち、本発明によれば、折り返しフラップが位置ずれの防止と位置決めの示唆とを兼ね備えたものとなっている。
【発明の効果】
【００１９】
以上説明してきたように、本発明によれば、吸収性物品の両側縁に設けられた括れ部の最狭部やラウンドシールの非存在領域及び折り返しフラップの長手方向の略中央を大腿部の中央に合わせて、または、下着の股下部と合わせて装着することにより、着用者の排泄部は、膨出手段と確実に接触する。このため、尿や経血などの体液を確実に捕捉することができる。
【発明を実施するための最良の形態】
【００２０】
以下、本発明の好適な実施形態について、図面を参照しながら説明する。なお、第１実施形態以外の実施形態の説明において、第１実施形態と共通するものについては、同一符号を付し、その説明を省略若しくは簡略化する。
【００２１】
＜第１実施形態＞
図１は本実施形態に係る吸収性物品の斜視図であり、図２はこの吸収性物品が平面状に展開された状態を示す平面図であり、図３は図２中のＡ−Ａ線で切断した断面図であり、図４は図２中のＢ−Ｂ線で切断した断面図である。
【００２２】
〔基本構造〕
図１に示す吸収性物品１は、特に高齢女性の失禁患者が使用するのに適したものであり、腹圧性失禁により少量排泄された尿を捕捉しやすく、また切迫性失禁によって一時に比較的多量の尿が排泄された尿を捕捉して吸収する機能も発揮できるものである。また着用者の身体形状に沿いやすいように、表面が窪んだ凹曲面形状となっている。
【００２３】
図２に示すように、吸収性物品１は縦方向（Ｙ方向）の長さ寸法が、幅方向（Ｘ方向）の寸法よりも長い縦長形状である。縦方向の長さ寸法は、３００〜５００ｍｍ程度であり、幅方向の寸法は１００〜２００ｍｍ程度である。また、下着と身体との間に装着した状態で、厚みが１０〜４０ｍｍ程度である。
【００２４】
吸収性物品１は、前縁部２と後縁部３、及び右側縁部４と左側縁部５を有している。そして、縦方向の長さＬ１の部分では、右側縁部４に曲線状の凹部４ａが、左側縁部５に凹部５ａが形成されて、左右側縁部が縦方向中心線Ｏに向かって窪む括れ部となっている。そして、凹部４ａ及び凹部５ａが形成されている部分が大腿部の内側に位置するように装着されることとなる。即ち、着用者が吸収性物品１を装着する場合、吸収性物品１を直接肌に当ててから下着を履いて装着する場合と、吸収性物品１を下着に装着させてからその下着を履くことにより吸収性物品１を装着する場合とが考えられる。前者の場合は、凹部４ａを右足の大腿部、凹部５ａを左足の大腿部にそれぞれ位置するようにして装着される。また、後者の場合は、下着の股部（クロッチ部）の右凹部に吸収性物品１の凹部４ａを左凹部に凹部５ａをそれぞれ合わせて装着させる。このため、結果としていずれの装着方法によっても、吸収性物品１の凹部４ａ及び凹部５ａは、着用者の大腿部の内側に位置して装着されることとなる。
【００２５】
凹部４ａと凹部５ａとの間においては吸収性物品１の幅方向の寸法が他の部分よりも小さくなるが、この幅方向距離の最狭部位置は、凹部４ａと５ａのほぼ中間に位置するポイント４ａ’、ポイント５ａ’との間において形成されている。
【００２６】
〔ラウンドシール〕
吸収性物品の前縁部２にはラウンドシール５１が、後縁部３にはラウンドシール５２が、それぞれ縦方向の長さが３〜１５ｍｍ程度、横幅方向の長さは防漏手段である一対のサイドギャザー２０の支点間距離よりも内側に形成されている。そして、右側縁部４に沿ってラウンドシール５３とラウンドシール５４とが、左側縁部５に沿ってラウンドシール５５及びラウンドシール５６がそれぞれ形成されている。また、左右側縁のポイント４ａ’、ポイント５ａ’をほぼ中心としてラウンドシールが形成されていないランドシール非存在領域が設けられており、この領域の縦方向の長さは好ましくは２０〜１５０ｍｍ程度である。このような領域を設けることにより、凹部４ａと凹部５ａの位置をより際立てさせることができる。
【００２７】
ラウンドシールはトップシートとバックシート、または、サイドシートとバックシートとを、熱エンボスによって加圧することにより形成され、シート間のホットメルト系接着剤とともに製品の口開き防止に用いられる。また、着用者への視覚効果も高められる。
【００２８】
図１においてはラウンドシールのエンボスパターンは格子柄であるが、ドット柄や他の多角形柄、絵柄などでもよい。また、ラウンドシールが形成していない箇所が他のエンボスパターンと異なるパターンで形成されていたり、ポイント４ａ’及びポイント５ａ’の位置でエンボスパターンが吸収体側に突出していてもよい。
【００２９】
〔収縮部（センターギャザー）〕
図３に示すように、吸収性物品１はトップシート１１と吸収体１２との間に膨出手段３０を有する。膨出手段３０は図２に示す縦方向中心線Ｏを挟む両側において折り畳まれた一連の液透過性シート３１から成る。具体的には、図３に示すように天面部３２、起立部３３を構成するように折られており、天面部３２においては折り重ねられた液透過性シート３１の間には、縦方向中心線Ｏを挟んで対象となるように、右側に弾性部材３４が、左側に弾性部材３５が、それぞれ４本づつ、縦方向へ１．２〜２倍の範囲で伸ばされた状態で液透過性シート３１に固定されている。
【００３０】
弾性部材３４及び弾性部材３５は、図２に示す領域Ｌ２において配置され、この部分において膨出手段３０の収縮部（センターギャザー）を形成している。即ち、かかる領域Ｌ２は、弾性部材３４がホットメルト系接着剤で接着固定されている前方固定端３４ａから後方固定端３４ｂまで、弾性部材３５が接着固定されている前方固定端３５ａから後方固定端３５ｂまでの両領域を示しており、長さはいずれも１３０〜２３０ｍｍ程度である。
【００３１】
ポイント４ａ’から前方固定端３４ａ、ポイント５ａ’から前方固定端３５ａまでの領域Ｌ５は、排泄部の個人差等を考慮してそれぞれ９０ｍｍ以上となっている。また、領域Ｌ４は、ポイント４ａ’から後方固定端３４ｂ、ポイント５ａ’から後方固定端３５ｂまでの距離であり、４０ｍｍ以上である。
【００３２】
弾性部材３４及び弾性部材３５が配置された領域Ｌ２では、弾性部材３４及び弾性部材３５の収縮力によって、前方固定端３５ａ及び後方固定端３５ｂを起点として隆起し、膨出手段３０を形成する。そして、着用者が、吸収性物品１の前記凹部４ａと凹部５ａをそれぞれ左右の大腿部にあわせて、または、下着の股下部と合わせて装着したとき、大腿部のほぼ中心にポイント４ａ’、及びポイント５ａ’が配置される。このとき、ポイント４ａ’及びポイント５ａ’と着用者の身体との位置関係は、ほぼ膣口から尿道口側１０ｍｍ程度の範囲内にポイント４ａ’及びポイント５ａ’が位置し、陰唇前方交連はポイント４ａ’５ａ’から前方７０ｍｍ程度に、膣口はポイント４ａ’及びポイント５ａ’と同等か後方１０ｍｍ程度に位置する。
【００３３】
そして、上述したように、弾性部材３４及び３５の前方固定端３４ａ及び３５ａはそれぞれポイント４ａ’及び５ａ’よりも前方９０ｍｍに位置し、後方固定端３４ｂ及び３５ｂはポイント４ａ’及び５ａ’よりも後方４０ｍｍの場所に位置し、弾性部材３４及び３５の収縮力により弾性収縮領域Ｌ２が隆起したときには、膨出手段３０は陰唇前方交連２０ｍｍ前方から膣口の３０ｍｍ（陰唇後方交連の２０ｍｍ後方）までの範囲で形成される。よって、着用者の排泄部は、膨出手段３０と確実に接触することとなる。
【００３４】
この点、ポイント４ａ’及び５ａ’が明らかでなく、着用者が吸収性物品１を装着するときに誤って位置ずれが発生して弾性部材３４及び３５の存在しない領域Ｌ３に尿排泄部が位置してしまったような場合には、排泄部直下の吸収性物品１は図４の状態で存在するため排泄部と吸収性物品１とが密着せず、上記の効果が低減されてしまうこととなる。
【００３５】
＜第２実施形態＞
次に第２実施形態について説明する。図５は、第２実施形態に係る吸収性物品の展開図の実施の形態を示す図である。
【００３６】
図５に示すように吸収性物品１は折り返しフラップ６１を右側縁部４に、折り返しフラップ６２を左側縁部５にそれぞれ備えている。この折り返しフラップ６１、６２は吸収性物品１の横方向の両側に左右に突出している。折り返しフラップの折り返し起点側の長さは好ましくは５０〜１００ｍｍ程度であり、幅は１０〜３０ｍｍ程度である。
【００３７】
吸収性物品１を下着に装着するとき、下着の股間部に折り返しフラップ６１及び折り返しフラップ６２が位置するように装着され、これらは下着の股間部で着用者の身体と逆側に折り返される。このように用いられる折り返しフラップ６１及び折り返しフラップ６２は、装着後の位置ずれ防止及び体液の横漏れ防止に有効である。
【００３８】
折り返しフラップ６１の長さ方向中心位置であるポイント４ａ’から前方固定端３４ａ、折り返しフラップ６２の長さ方向中心位置であるポイント５ａ’から前方固定端３５ａまでの領域Ｌ３は、排泄部の個人差等を考慮してそれぞれ９０ｍｍ以上となっている。また、領域Ｌ４は、ポイント４ａ’から後方固定端３４ｂ、ポイント５ａ’から後方固定端３５ｂまでの距離であり、４０ｍｍ以上である。このようにすることにより、着用者が、吸収性物品１の折り返しフラップ６１及び折り返しフラップ６２を大腿部にあわせて、または、下着の股下部と合わせて装着したとき、大腿部のほぼ中心にポイント４ａ’及びポイント５ａ’が存在することとなる。
【００３９】
＜構成部材＞
〔トップシート〕
トップシート１１は、親水性で液を透過する機能を有しているものである。好ましくは、親水処理された合成樹脂繊維のみで形成され、液保持機能を有するパルプなどの天然繊維、高吸水性樹脂、ポリビニールアルコール（ＰＶＡ）などの吸水性樹脂を含まないものが使用される。優れた液透過機能を発揮できるように、目付けが１０〜４０ｇ／ｍ２の範囲のスルーエア不織布を使用することが好ましい。スルーエア不織布は、芯部がポリプロピレン樹脂（ＰＰ）またはポリエチレンテレフタレート樹脂（ＰＥＴ）で、鞘部がポリエチレン樹脂（ＰＥ）の芯鞘型複合合成繊維、またはＰＥＴ繊維、ＰＰ繊維などで形成される。また、多数の液透過孔を有する樹脂フィルムで形成されてもよい。
【００４０】
トップシート１１は、噛み込みエンボス加工により、縦方向と横方向の少なくとも一方に向けて収縮するように凹凸賦形されたものが使用される。噛み込みエンボス加工は、表面に凹凸部を有する一対のロール間に不織布や樹脂フィルムを噛み込ませる工程で行われる。この工程を経ることにより、トップシート１１は縦方向と横方向の少なくとも一方に伸縮性を有するようになる。その結果、トップシート１１で覆われている膨出手段３０が、吸収体１２の表面から立ち上がりやすくなり、また膨出手段３０がトップシート１１と共に左右に比較的自由に動けるようになる。なお、トップシート１１を、ポリウレタン繊維などの弾性伸縮性繊維を含む不織布などで形成し、トップシート１１が弾性伸縮性を有するようにしてもよい。
【００４１】
〔バックシート〕
図３と図４に示すように、吸収性物品１の着衣対向側にはバックシート１３が設けられている。このバックシート１３の外形は図２に示す吸収性物品１の外形と同じであり、バックシート１３の縁部は、前記前縁部２と後縁部３、及び右側縁部４と左側縁部５に一致している。このバックシート１３は、ポリエチレン樹脂フィルムなどの液不透過性で且つ非通気性樹脂フィルムで形成されている。また、バックシート１３が、液不透過性で且つ通気性の樹脂フィルムで形成されてもよい。
【００４２】
バックシート１３の外面には感圧接着剤層１４が設けられている。この感圧接着剤層１４は、ゴム系などのホットメルト型接着剤を塗工して形成されたものである。図３と図４では省略しているが、吸収性物品１を使用するまでは、感圧接着剤層１４の表面に離型シートが接着されて、感圧接着剤層１４が保護されている。
【００４３】
〔吸収体〕
バックシート１３の上には吸収体１２が設置され、バックシート１３と吸収体１２とがホットメルト型接着剤などで接着固定されている。吸収体１２は、パルプ繊維と高吸水性樹脂とが混合されたものであり、高吸水性樹脂の含有比は、２０〜６０質量％程度であり、パルプ繊維と高吸水性樹脂の合計の目付けは、５００〜２０００ｇ／ｍ２程度であるが、これらの数値に限定されるものではない。吸収体１２は、パルプ繊維と高吸水性樹脂とが混合された下層吸収体の上に、同じくパルプ繊維と高吸水性樹脂とが混合された上層吸収体を積層し、親水性のティッシュペーパーで包んだものである。
【００４４】
〔膨出手段〕
吸収体１２の受液側の表面には、液透過性シート３１が設けられている。この液透過性シート３１は、親水性で液を透過する機能を有しているものである。液透過性シート３１は、好ましくは、親水処理された合成樹脂繊維のみで形成され、液保持機能を有するパルプなどの天然繊維、高吸水性樹脂、ポリビニールアルコール（ＰＶＡ）などの吸水性樹脂を含まないものが使用される。優れた液透過機能を発揮できるように、液透過性シート３１として、目付けが１０〜４０ｇ／ｍ２の範囲のスルーエア不織布を使用することが好ましい。スルーエア不織布は、芯部がポリプロピレン樹脂（ＰＰ）またはポリエチレンテレフタレート樹脂（ＰＥＴ）で、鞘部がポリエチレン樹脂（ＰＥ）の芯鞘型複合合成繊維、またはＰＥＴ樹脂繊維、ＰＰ樹脂繊維などで形成される。ただし、液透過性シート３１を、前記パルプ繊維やレーヨン繊維などを含むもので形成することも可能である。
【図面の簡単な説明】
【００４５】
【図１】第１実施形態に係る吸収性物品の斜視図である。
【図２】第１実施形態に係る吸収性物品が平面展開された状態を示す正面図である。
【図３】図２のＡ−Ａで切断した断面図である。
【図４】図２のＢ−Ｂで切断した断面図である。
【図５】第２実施形態に係る吸収性物品が平面に展開された状態を示す正面図である。
【符号の説明】
【００４６】
１  吸収体物品
２  前縁部
３  後縁部
４  右側縁部
５  左側縁部
１１  トップシート
１２  吸収体
１３  バックシート
１４  感圧接着剤層
２０  サイドギャザー
３０  膨出手段
３１  液透過性シート
３２  天面部
３３  起立部
３４、３５  弾性部材
５１、５２、５３、５４、５５、５６  ラウンドシール
６１、６２  折り返しフラップ
【図１】
2007135943.tif 000003
【図２】
2007135943.tif 000004
【図３】
2007135943.tif 000005
【図４】
2007135943.tif 000006
【図５】
2007135943.tif 000007